(57)【特許請求の範囲】
【請求項１】
頂部において開口する口部を有し、その内側に内容物の充填空間を備える容器本体と、該容器本体に固定保持されるとともに該充填空間に通じる排出口を備える注出栓と、該注出栓を覆い隠すとともに該注出栓に着脱可能に保持されるオーバーキャップとを備える容器であって、
前記注出栓は、該口部を取り囲む環状壁を有し、該環状壁に前記オーバーキャップを保持するねじ部を備え、
前記環状壁の下端に、径方向内側に向けて弾性変位可能な弾性片を形成し、
前記弾性片に、前記オーバーキャップの内面壁に設けた係止部に係合して該オーバーキャップを回り止め保持する爪部と、径方向内側に向けた押圧力を該弾性片に直接付与して該爪部の係合を解除する操作部とを設け、
該オーバーキャップに、弱化部を介して一体連結するとともに該操作部を覆い隠すバージンリングを設けたことを特徴とするオーバーキャップ付き容器。
【発明の詳細な説明】
【技術分野】
【０００１】
本発明は、内容物を充填する容器本体をねじ込み式のオーバーキャップにて密閉するオーバーキャップ付き容器に関し、オーバーキャップの意図しない開栓を確実に防止しようとするものである。
【背景技術】
【０００２】
洗剤や化粧品、あるいは洗浄・除菌剤等の内容物を充填した容器本体に、オーバーキャップをねじ込むことでその充填空間を密閉するオーバーキャップ付き容器においては、オーバーキャップの意図しない開栓を防止するものとして、例えば特許文献１に示すような、容器の係止爪とキャップの係止爪とを係合させてキャップを回り止め保持することができ、さらにバージンベルトを追加することによって、その引きちぎり前における係止爪の係合状態を解除不能に維持するものが知られている。
【先行技術文献】
【特許文献】
【０００３】
【特許文献１】実開昭５９−１０６３５２号公報
【発明の概要】
【発明が解決しようとする課題】
【０００４】
ところで、上述した特許文献１に記載のものは、キャップの外周壁を弾性変形させて係止爪の係合状態を解除するものであり、回り止めを解除するために操作するパーツ（弾性変形させるために押圧力を作用させるパーツ）がキャップそのものであるために、例えば不用意にキャップを把持してしまうと、係止片の係合が外れてそのままキャップが回転してしまうおそれがあった。このため、例えば子供の悪戯によっては比較的簡単に開栓してしまう懸念があって、チャイルドプルーフ機能をより有効に発揮させる点においては、未だ改善の余地が残されていた。また、バージンベルトを新たに追加したことでパーツ数が増えたため、部品コストの増加にもつながっていた。
【０００５】
本発明の課題は、容器本体にねじ込み保持されるオーバーキャップの意図しない開栓を、未開封時だけでなく、一旦開栓した後も確実に防止することができる上、パーツ数の増加を抑えて簡単な構成となるオーバーキャップ付き容器を提案するところにある。
【課題を解決するための手段】
【０００６】
本発明は、頂部において開口する口部を有し、その内側に内容物の充填空間を備える容器本体と、該容器本体に固定保持されるとともに該充填空間に通じる排出口を備える注出栓と、該注出栓を覆い隠すとともに該注出栓に着脱可能に保持されるオーバーキャップとを備える容器であって、
前記注出栓は、該口部を取り囲む環状壁を有し、該環状壁に前記オーバーキャップを保持するねじ部を備え、
前記環状壁の下端に、径方向内側に向けて弾性変位可能な弾性片を形成し、
前記弾性片に、前記オーバーキャップの内面壁に設けた係止部に係合して該オーバーキャップを回り止め保持する爪部と、径方向内側に向けた押圧力を該弾性片に直接付与して該爪部の係合を解除する操作部とを設け、
該オーバーキャップに、弱化部を介して一体連結するとともに該操作部を覆い隠すバージンリングを設けたことを特徴とするオーバーキャップ付き容器である。
【発明の効果】
【０００７】
注出栓に、径方向内側に向けて弾性変位可能な弾性片を形成するとともに、その弾性片に、オーバーキャップの内面壁に設けた係止部に係合して該オーバーキャップを回り止め保持する爪部、及び径方向内側に向けた押圧力を該弾性片に直接付与して該爪部の係合を解除する操作部を設け、またオーバーキャップに、操作部を覆い隠すバージンリングを設けたので、バージンリングの引きちぎり前におけるオーバーキャップの回転が確実に防止できることは勿論、注出栓に設けた操作部を押圧しなければオーバーキャップが回転できないので不用意な開封が有効に防止される。また、部品コストの抑制にも寄与する。ここでバージンリングは、弱化部を介してオーバーキャップに一体連結しているので、パーツ数が増えることもない。
【図面の簡単な説明】
【０００８】
【図１】本発明に従うオーバーキャップ付き容器の実施の形態につき、一部を断面で示す側面図である。
【図２】図１に示すオーバーキャップ付き容器のＡ−Ａに沿う断面図である。
【図３】本発明に従うオーバーキャップ付き容器の他の実施の形態を示す図であり、図２に準じた断面図である。
【発明を実施するための形態】
【０００９】
以下、図面を参照して、本発明をより具体的に説明する。
図１は、本発明に従うオーバーキャップ付き容器の実施の形態につき、一部を断面で示す側面図であって、図２は、図１に示すオーバーキャップ付き容器のＡ−Ａに沿う断面図であって、図３は、本発明に従うオーバーキャップ付き容器の他の実施の形態を示す図であり、図２に準じた断面図である。なお何れの図も、オーバーキャップを最後までねじ込んだねじ込み終了姿勢を示している。
【００１０】
図１において、１は容器本体である。容器本体１は、頂部を開口させた口部１ａを有し、この口部１ａに肩部１ｂを介して図示しない有底筒状の胴部を連結させていて、その内側に内容物の充填空間Ｍを形成している。また、口部１ａの外面には、容器本体１の軸線方向に延在する口部リブ１ａ１を、周方向に間隔をおいて複数設けている。そして口部リブ１ａ１の下方には、後述する注出栓を係止する環状凸部１ａ２が形成されている。更に口部１ａと肩部１ｂとの間に、径方向外側に向けて突出させた環状のネック部１ｃを設けている。
【００１１】
２は、充填空間Ｍに通じる排出口２ａを備える注出栓である。図示の例で排出口２ａは、口部１ａの内側にて傾斜する傾斜壁２ａ１を有し、傾斜壁２ａ１からその内側を内容物の導通路とする筒体２ａ２を起立させるとともに、傾斜壁２ａ１及び筒体２ａ２を切り欠くスリット２ａ３を備えている。スリット２ａ３は、外界と充填空間Ｍとの空気置換口として、また排出後の余分な内容物の液戻し口として機能する。また傾斜壁２ａ１の縁部は、上部にフランジｆを備える環状の内側筒２ｂと連結していて、排出口２ａを口部１ａの内側に吊り下げ保持している。なお排出口２ａは、上述した形状のものだけでなく、用途に応じて種々の形状のものを適用することができる。
【００１２】
また注出栓２は、フランジｆの径方向外側の縁部から口部１ａを取り囲んで垂下される環状壁２ｃを備えていて、その下部に設けた爪部２ｃ１を上述した環状凸部１ａ２に係止させることで抜け出し不能に保持されている。そして環状壁２ｃの内面には、口部リブ１ａ１の相互間に入り込む複数の縦型リブ２ｃ２を形成して、注出栓２を容器本体１に対して回り止め保持している。さらに環状壁２ｃの外面には、ねじ部ｎ１が形成されている。
【００１３】
そして環状壁２ｃの下端には、径方向外側に向けて延在するリング壁２ｄが設けられていて、さらにリング壁２ｄの外側縁部には、段部２ｅを介して周壁２ｆを垂下させている。また、リング壁２ｄ及び周壁２ｆは、図２に示す穴ｈによって切り欠かれていて、これにより径方向内側に向けて弾性変位可能な弾性片２ｇを形成している。さらに図２に示すように弾性片２ｇは、径方向外側に向けて突設させた爪部２ｇ１と、径方向内側に向けた押圧力を弾性片２ｇに直接付与する操作部２ｇ２とを備えている。
【００１４】
また図１において３は、注出栓２を覆い隠して容器本体１の充填空間Ｍを閉鎖するオーバーキャップである。オーバーキャップ３は、注出栓２の上方に位置する天面壁３ａと、天面壁３ａの縁部から注出栓２の環状壁２ｃを取り囲んで垂下する外周壁３ｂと、外周壁３ｂの下端から径方向外側に向けて延びるとともにその外側の端部を垂下させたキャップフランジ３ｃとを備えている。また垂下されたキャップフランジ３ｃの端部には、環状となる薄肉の弱化部Ｗ１を介して一体連結するとともに操作部２ｇ２を覆い隠すバージンリング３ｄが設けられている。バージンリング３ｄには、下方に突出する摘み片３ｄ１及び環状の弱化部Ｗ１につながる縦型の弱化部Ｗ２が設けられていて、摘み片３ｄ１から引きちぎることができる。そして外周壁３ｂの内面には、ねじ部ｎ１と係合するねじ部ｎ２が形成されていて、オーバーキャップ３を着脱可能に保持している。キャップフランジ３ｃの端部の内面壁３ｃ１には、図２に示すように、オーバーキャップ３のねじ込み終了姿勢にて爪部２ｇ１と係合する係止部３ｃ２が設けられていて、オーバーキャップ３を回転不能に回り止め保持している。そして図１に示すように天面壁３ａは、その内面から垂下されるとともに内側筒２ｂの内面と密着する環状のシール部３ａ１を備えていて、充填空間Ｍを密閉することができる。
【００１５】
上記のように構成されるオーバーキャップ付き容器は、オーバーキャップ３の回り止めを解除する操作部２ｇ２が、環状のバージンリング３ｄで覆われている。このため、オーバーキャップ３の外側（バージンリング３ｄの外側）から押圧力が加わることがあっても、バージンリング３ｄは内側にほとんど変位することがなく、操作部２ｇ２は操作不能に維持されて、爪部２ｇ１と係止部３ｃ２との係合状態が保たれるので、未開封時におけるオーバーキャップ３の意図しない開栓が有効に防止される。またバージンリング３ｄは、オーバーキャップ３に一体連結しているので、バージンリング３ｄを設けてもなお、パーツ数が増加することがない。そして、一旦バージンリング３ｄを引きちぎった後にオーバーキャップ３の回り止めを解除するには、オーバーキャップ３とは別パーツになる注出栓２の操作部２ｇ２の押圧が必要であって、例えば片方の手で操作部２ｇ２を押圧しつつ、もう一方の手でオーバーキャップ３を回転しなければならないため、チャイルドプルーフ機能をより有効に発揮させることができる。
【００１６】
弾性片２ｇ（操作部２ｇ２）及び爪部２ｇ１、並びにこれに対応する係止部３ｃ２を、周方向に間隔をおいて複数設ける場合は、チャイルドプルーフ機能をより一層発揮させることができる。なお、それらの組を対向位置（周方向に１８０度ずらした位置）に設ける場合は、片手で両方の操作部２ｇ２を押圧することができるので、操作性の点で特に好ましい。
【００１７】
また、弾性片２ｇの裏面側に位置する段部２ｅが、容器本体１のネック部１ｃに突き当たって弾性片２ｇのストッパーとして作用するので、過度の押圧による弾性片２ｇの破損を有効に防止することができる。
【００１８】
そして、爪部２ｇ１と係止部３ｃ２とを、それぞれ複数個（図３に示す例ではそれぞれ２個）設ける場合は、オーバーキャップ３の回り止め機能をより確実に発揮させることができる。
【産業上の利用可能性】
【００１９】
本発明によれば、容器本体にねじ込み保持されるオーバーキャップの意図しない開栓を、未開封時だけでなく、一旦開栓した後も確実に防止することができる上、パーツ数の増加を抑えて簡単な構成となるオーバーキャップ付き容器を提供できる。
【符号の説明】
【００２０】
１    容器本体
１ａ  口部
１ｂ  肩部
１ｃ  ネック部
２    注出栓
２ａ  排出口
２ｂ  内側筒
２ｃ  環状壁
２ｄ  リング壁
２ｅ  段部
２ｆ  周壁
２ｇ  弾性片
２ｇ１  爪部
２ｇ２  操作部
３    オーバーキャップ
３ａ  天面壁
３ｂ  外周壁
３ｃ  キャップフランジ
３ｃ１  内面壁
３ｃ２  係止部
３ｄ  バージンリング
Ｍ    充填空間
ｎ１  ねじ部
ｎ２  ねじ部
Ｗ１  弱化部
【図１】
0005579648.tif 000002
【図２】
0005579648.tif 000003
【図３】
0005579648.tif 000004